(57)【要約】【課題】簡単に取付台角度を変更できる器具取付台を提供する。【解決手段】器具取付台１は、クランプ部２に対して載置台３を回動可能に接続する接続部４を備える。接続部４は２つの凹部１１を備える。載置台３には、操作部材８を第２位置Ｐ２から第１位置Ｐ１に向かう方向に付勢する付勢部材１２が設けられる。操作部材８には、第１位置Ｐ１に位置するときに、載置台３の回動位置に応じた凹部１１に対して選択的に嵌合し、第２位置Ｐ２に移動されたときに、該嵌合が解除される凸部が設けられる。【選択図】図３
2020193676.tif 000002
【特許請求の範囲】
【請求項１】
被クランプ部材に取り付けられるクランプ部と、
第１端縁部、該第１端縁部と反対側の第２端縁部、及び該第１端縁部と該第２端縁部とを繋ぐ載置面を有する載置台と、
前記クランプ部に固定され、該クランプ部に対して前記第１端縁部を、該第１端縁部に沿った回動軸の周りで回動可能に接続する接続部とを備え、
前記接続部は、前記回動軸を中心とする周方向に間隔を置いて形成された２又は３以上の径方向外方に開き又は突出した凹部又は凸部を備え、
前記載置台には、
該載置台において前記第１端縁部から離れる方向に延在し、該延在方向に沿って、第１位置と該第１位置よりも前記接続部から離れた第２位置との間で移動し得るように該載置台により案内された操作部材と、
前記操作部材を前記第２位置から前記第１位置に向かう方向に付勢する付勢部材とが設けられ、
前記操作部材の前記第１端縁部側の端部には、該操作部材が前記第１位置に位置するときに、前記載置台の回動位置に応じたいずれかの前記凹部又は凸部に対して選択的に嵌合し、該操作部材が前記第２位置に移動されたときに、該嵌合が解除される凸部又は凹部が設けられることを特徴とする器具取付台。
【請求項２】
前記操作部材の前記第２端縁部側の端部は、該第２端縁部よりも前記第１端縁部側に位置し、
前記操作部材には、前記第２端縁部側の端部から下方に突出し、該操作部材を前記付勢部材の付勢力に抗して前記第１位置から前記第２位置に移動させるための操作子が設けられることを特徴とする請求項１に記載の器具取付台。
【請求項３】
前記接続部は、その前記凹部又は凸部として２つの凹部を備え、かつ両凹部の間は前記回動軸を中心とする部分円筒面で構成され、かつ両凹部の外側の壁面は、該回動軸に対する高さが該部分円筒面よりも高く、
前記操作部材は、その前記凹部又は凸部として凸部を備え、
前記操作部材の前記凸部は、前記回動軸に平行に前記操作部材の前記クランプ部側の端部に設けられたシャフトであることを特徴とする請求項１又は２に記載の器具取付台。
【発明の詳細な説明】
【技術分野】
【０００１】
本発明は、器具が載置される載置台をクランプ部に回動可能に接続して構成される器具取付台に関する。
【背景技術】
【０００２】
従来、シリンジポンプ等の器具を輸液スタンド等に取り付けるとともに、取付け角度を変更できるようにした器具取付台が知られている（例えば、特許文献１参照）。特許文献１の器具取付台は、輸液スタンドのポールなどに取り付けられるクランプ部と、器具が載置される載置台と、クランプ部に対して載置台の一方の端部を回動可能に接続する接続部とを備える。
【先行技術文献】
【特許文献】
【０００３】
【特許文献１】実開平２−１２３２４６
【発明の概要】
【発明が解決しようとする課題】
【０００４】
しかしながら、特許文献１の器具取付台によれば、載置台の取付け角度を変更するには、ねじを緩めて角度を変更し、再度ねじを締めて変更後の角度を固定する必要がある。このため、取付け角度の変更に手間を要する。
【０００５】
本発明の目的は、かかる従来技術の課題に鑑み、簡単に取付け角度を変更できる器具取付台を提供することにある。
【課題を解決するための手段】
【０００６】
本発明の器具取付台は、
被クランプ部材に取り付けられるクランプ部と、
第１端縁部、該第１端縁部と反対側の第２端縁部、及び該第１端縁部と該第２端縁部とを繋ぐ載置面を有する載置台と、
前記クランプ部に固定され、該クランプ部に対して前記第１端縁部を、該第１端縁部に沿った回動軸の周りで回動可能に接続する接続部とを備え、
前記接続部は、前記回動軸を中心とする周方向に間隔を置いて形成された２又は３以上の径方向外方に開き又は突出した凹部又は凸部を備え、
前記載置台には、
該載置台において前記第１端縁部から離れる方向に延在し、該延在方向に沿って、第１位置と該第１位置よりも前記接続部から離れた第２位置との間で移動し得るように該載置台により案内された操作部材と、
前記操作部材を前記第２位置から前記第１位置に向かう方向に付勢する付勢部材とが設けられ、
前記操作部材の前記第１端縁部側の端部には、該操作部材が前記第１位置に位置するときに、前記載置台の回動位置に応じたいずれかの前記凹部又は凸部に対して選択的に嵌合し、該操作部材が前記第２位置に移動されたときに、該嵌合が解除される凸部又は凹部が設けられることを特徴とする。
【０００７】
この構成において、被クランプ部に取り付けられた器具取付台の操作部材の凸部又は凹部が接続部のいずれかの凹部又は凸部に嵌合しているものとする。このとき、載置台は、嵌合されている接続部の凹部又は凸部に対応する角度で傾斜している。
【０００８】
この状態において、載置台の傾斜角度を変更するには、まず、操作部材を付勢部材の付勢力に抗して第１位置から第２位置に移動させる。これにより、接続部の凹部又は凸部に対する操作部材の凸部又は凹部の嵌合が解除される。
【０００９】
次に、操作部材を第２位置に保持しながら、載置台を、操作部材の凸部又は凹部が接続部の別の凹部又は凸部に対峙する位置まで回動させ、操作部材の保持を解除する。これにより、操作部材が付勢部材の付勢力により第１位置に移動し、操作部材の凸部又は凹部が、接続部の当該別の凹部又は凸部に嵌合する。これにより、被クランプ部に対する載置台の傾斜角度の変更が完了する。
【００１０】
したがって、本発明よれば、操作部材を第２位置に移動させ、載置台を回動させ、そして操作部材を離すだけで、容易に載置台の傾きを変更することができる。
【００１１】
この場合、
前記操作部材の前記第２端縁部側の端部は、該第２端縁部よりも前記第１端縁部側に位置し、
前記操作部材には、前記第２端縁部側の端部から下方に突出し、該操作部材を前記付勢部材の付勢力に抗して前記第１位置から前記第２位置に移動させるための操作子が設けられるのが好ましい。
【００１２】
これによれば、操作部材を第１位置から第２位置に移動させる操作を、載置台の手前（第２端縁部側）から載置台の下に手を入れて指を上方に曲げて操作子に掛け、手を手前に引くだけで、容易に行うことができる。
【００１３】
本発明において、前記接続部は、その前記凹部又は凸部として２つの凹部を備え、かつ両凹部の間は前記回動軸を中心とする部分円筒面で構成され、かつ両凹部の外側の壁面は、該回動軸に対する高さが該部分円筒面よりも高く、
前記操作部材は、その前記凹部又は凸部として凸部を備え、
前記操作部材の前記凸部は、前記回動軸に平行に前記操作部材の前記クランプ部側の端部に設けられたシャフトであるのが好ましい。
【００１４】
これによれば、載置台を、操作部材の凸部が嵌合している接続部の一方の凹部に対応する位置から他方の凹部に対峙する位置まで容易に回動させることができるので、載置台の傾きをより容易に変更することができる。
【図面の簡単な説明】
【００１５】
【図１】本発明の一実施形態に係る器具取付台の斜視図である。
【図２】図１の器具取付台の右側面図である。
【図３】図１の器具取付台の断面図である。
【図４】図１の器具取付台を下側から見た様子を示す図である。
【図５】図５Ａ〜図５Ｄは、図１の器具取付台において、載置台の傾斜角度を変更する手順を示す図である。
【図６】図６Ａは、図１の器具取付台における操作子の断面形状がＵ字形状である例を示す断面図であり、図６Ｂは、該断面形状がＶ字形状である例を示す断面図である。
【発明を実施するための形態】
【００１６】
以下、図面を用いて本発明の実施形態を説明する。図１、図２は、本発明の一実施形態に係る器具取付台を示す。この器具取付台は、シリンジポンプ等の器具を輸液スタンドのポール等の被クランプ部材に取付け及び取外しするために用いられる。
【００１７】
図１、図２に示すように、この器具取付台１は、被クランプ部材を挟んで被クランプ部材に取り付けられるクランプ部２と、シリンジポンプ等の器具が載置して固定される載置台３と、クランプ部２と載置台３とを接続する接続部４とを備える。クランプ部２は、固定部２ａと可動部２ｂとの間に被クランプ部材を挟んで、締結ボルト２ｃで可動部２ｂを固定部２ａ側に押圧して締結することにより、被クランプ部材に取り付けられる。
【００１８】
載置台３は、第１端縁部５、第１端縁部５と反対側の第２端縁部６、及び第１端縁部５と第２端縁部６とを繋ぐ載置面７を有する。接続部４は、クランプ部２に固定され、クランプ部２に対して載置台３の第１端縁部５を、載置台３が傾斜し得るように回動軸の周りで回動可能に接続する。
【００１９】
図３は、器具取付台１の断面を示し、図４は、器具取付台１を下側から見た様子を示す。ただし、図４では、操作部材８及び後述のグリップ９は図示していない。図３、図４に示すように、接続部４は、回動軸１０を中心として周方向に間隔を置いて形成された２つの径方向外方に開いた凹部１１を有する。
【００２０】
載置台３には、載置台３において第１端縁部５から離れる方向に延在し、該延在方向に沿って、第１位置Ｐ１と第２位置Ｐ２との間で移動し得るように載置台３により案内された操作部材８と、操作部材８を第２位置Ｐ２から第１位置Ｐ１に向かう方向に付勢する付勢部材１２とが設けられる。図３においては、操作部材８は第１位置Ｐ１に位置している。
【００２１】
付勢部材１２としては、一端が載置台３の下面において下方に延びた壁面３ａに当接し、他端が操作部材８に設けられた爪部１３に当接した圧縮コイルばねが用いられる。
【００２２】
操作部材８の第１端縁部５側の端部には、操作部材８が第１位置Ｐ１に位置するときに、載置台３の回動位置に応じたいずれかの凹部１１に対して選択的に嵌合する凸部としてのシャフト１４が回動軸１０に平行に設けられる。この嵌合は、操作部材８が第２位置Ｐ２に移動されたときに解除される。
【００２３】
操作部材８の第２端縁部６側の端部は、第２端縁部６よりも第１端縁部５側に位置する。操作部材８には、第２端縁部６側の端部から下方に突出し、かつ回動軸１０に平行な方向に延びた操作子１５が設けられる。操作子１５は、操作部材８を付勢部材１２の付勢力に抗して第１位置Ｐ１から第２位置Ｐ２に移動させるために用いられる。
【００２４】
なお、操作子１５は、回動軸１０に平行な方向のみに延びている必要はない。また、操作子１５の断面形状は、図３のようなＬ字形状に限らず、図６Ａ及び図６Ｂに示すようなＵ字形状やＶ字形状であってもよい。
【００２５】
２つの凹部１１の間は、回動軸１０を中心とする部分円筒面１６で構成される。また、両凹部１１の外側の壁面１７は、回動軸１０からの高さが部分円筒面１６よりも高くなっている。
【００２６】
載置台３の中央部には、載置台３の上面にねじ部が突出し、下面にねじ部を回転させるためのグリップ９を有する取付けねじ１８が設けられる。取付けねじ１８を載置台３上に載置された器具の底部のねじと螺合させることにより、器具が載置台３の載置面７上に固定される。
【００２７】
図５Ａ〜図５Ｄは、載置台３の傾きを変更するときの手順の一例を示す。図５Ａ〜図５Ｄの各図における（ａ）は器具取付台１の断面を示し、（ｂ）は接続部４の断面を示している。
【００２８】
被クランプ部１９に取り付けられたクランプ部２において、図５Ａに示すように、操作部材８のシャフト１４が接続部４の上側の凹部１１に嵌合しているとき、載置台３は、該凹部１１に対応した傾きを有する。この載置台３の傾きを、図５Ｃに示すようなさらに急な傾きに変更するには、シャフト１４の嵌合先を、上側の凹部１１から下側の凹部１１に変更すればよい。
【００２９】
すなわち、まず、図５Ｂのように、操作部材８を、付勢部材１２の付勢力に抗して、接続部４と反対側に移動させる。この移動は、手のひらを上にして載置台３の下に手を入れて操作子１５に指を掛けて手前に引くことにより、容易に行うことができる。これにより、上側の凹部１１に対するシャフト１４の嵌合が解除される。
【００３０】
次に、その手で操作子１５を手前に引いたまま、載置台３を、図５Ｃに示すように、シャフト１４が下側の凹部１１に対峙する位置まで回動させる。この回動は、シャフト１４が下側の凹部１１の壁面１７に当接するまで載置台３の第２端縁部６を下げることにより、容易に行うことができる。
【００３１】
次に、手の指を、操作子１５から離す。これにより、図５Ｄに示すように、付勢部材１２の付勢力によって、操作部材８が第１位置Ｐ１に移動し、シャフト１４が下側の凹部１１に嵌合する。これにより、載置台３の傾斜角度が下側の凹部１１に対応する位置に固定され、傾きの変更が完了する。
【００３２】
以上のように、本実施形態によれば、操作子１５を接続部４と反対側に引いて載置台３を回動させ、操作子１５を離すだけで、載置台３の傾きを容易に変更することができる。
【００３３】
また、接続部４は、両凹部１１の外側の壁面１７を有するので、載置台３を、操作部材８のシャフト１４が嵌合している接続部４の１つの凹部１１から他の１つの凹部１１に対応する位置まで容易に回動させて、載置台３の傾きをより容易に変更することができる。
【００３４】
また、操作子１５は、載置台３の第２端縁部６よりもやや第１端縁部５側に位置して下方に突出し、かつ回動軸１０に平行な方向に延びた部材により構成されるので、載置台３の端部に手を掛けながら操作子１５を容易に操作することができる。
【００３５】
以上、本発明の実施形態について説明したが、本発明はこれに限定されない。例えば、接続部４において凹部１１に代えて凸部を採用するとともに、操作部材８において凸部に代えて凹部を採用してもよい。また、接続部４の凹部１１は、３以上存在してもよい。
【００３６】
また、操作部材８は、第１端縁部５及び第２端縁部６と直交するようにではなく、斜めに延在するものであってもよい。また、操作部材８は、第１端縁部５と第２端縁部６との間の中間位置程度まで延びているものや、幅が途中で変化するものであってもてもよい。
【符号の説明】
【００３７】
１…器具取付台、２…クランプ部、３…載置台、４…接続部、５…第１端縁部、６…第２端縁部、７…載置面、８…操作部材、９…グリップ、１０…回動軸、１１…凹部、１２…付勢部材、１３…爪部、１４…シャフト、１５…操作子、１６…部分円筒面、１７…壁面、１８…取付けねじ、１９…被クランプ部、Ｐ１…第１位置、Ｐ２…第２位置。
【図１】
2020193676.tif 000003
【図２】
2020193676.tif 000004
【図３】
2020193676.tif 000005
【図４】
2020193676.tif 000006
【図５】
2020193676.tif 000007
【図６】
2020193676.tif 000008